(57)【要約】【課題】大型化・複雑化させることなくキートップの脱落を防止可能な電子装置を提供すること。【解決手段】電子装置は、押圧スイッチを有する配線基板と、対向させて合わせることにより配線基板を収容する第１筐体及び第２筐体と、操作者の押圧操作により押圧スイッチを押圧するキースイッチと、を備える。第１筐体は、一方の開口が押圧スイッチと対向すると共に、他方の開口が外部側に面する貫通孔と、外部側に面方向に沿って形成された溝と、を有する。キースイッチは、第１筐体から一部が露出すると共に、溝に差し込まれるキートップと、キートップと係合すると共に、少なくとも一部が貫通孔に挿入される中継体と、操作者のキートップの押圧操作により押圧スイッチを押圧する押子と、を有する。【選択図】図２
2013143355.tif 000002
【特許請求の範囲】
【請求項１】
押圧スイッチを有する配線基板と、
対向させて合わせることにより前記配線基板を収容する第１筐体及び第２筐体と、
操作者の押圧操作により前記押圧スイッチを押圧するキースイッチと、を備え、
前記第１筐体は、一方の開口が前記押圧スイッチと対向すると共に、他方の開口が外部側に面する貫通孔と、外部側に面方向に沿って形成された溝と、を有し、
前記キースイッチは、前記第１筐体から一部が露出すると共に、前記溝に差し込まれるキートップと、
前記キートップと係合すると共に、少なくとも一部が前記貫通孔に挿入される中継体と、
操作者の前記キートップの押圧操作により前記押圧スイッチを押圧する押子と、を有することを特徴とする電子装置。
【請求項２】
前記溝は、前記第１筐体の外部側において前記貫通孔の両側に形成され、
前記キートップは、前記溝に収容される第１フランジ部を有することを特徴とする請求項１に記載の電子装置。
【請求項３】
前記溝は、前記キースイッチが押圧されたときに前記第１フランジ部が押圧方向に移動可能な幅を有することを特徴とする請求項２に記載の電子装置。
【請求項４】
前記キートップは、前記中継体と係合するための第１係合部を有し、
前記中継体は、前記貫通孔に挿入される軸部と、前記キートップを前記溝に沿って組み込んだときに前記第１係合部と係合される第２係合部と、を有することを特徴とする請求項１〜３のいずれか一項に記載の電子装置。
【請求項５】
前記押子は、前記軸部を被覆すると共に、前記貫通孔に挿入されるカップ部と、前記カップ部の外周面に形成され、前記貫通孔の内壁に当接し止水する止水部と、を有することを特徴とする請求項１〜４のいずれか一項に記載の電子装置。
【請求項６】
前記押子は、操作者が前記キートップを押圧したときに押圧方向に弾性変形し、操作者が前記キートップの押圧を解除したときに、前記キートップを元の位置に戻すことを特徴とする請求項１〜５のいずれか一項に記載の電子装置。
【請求項７】
前記キートップは、前記中継体と係合するための第１係合部を有し、
前記中継体は、前記第１係合部と係合される第２係合部と、前記押子を収容する凹部と、外周面に形成され、前記貫通孔の内壁に当接し止水する止水部と、を有することを特徴とする請求項１〜３のいずれか一項に記載の電子装置。
【請求項８】
前記中継体は、操作者が前記キートップを押圧したときに押圧方向に弾性変形し、操作者が前記キートップの押圧を解除したときに、前記キートップを元の位置に戻すことを特徴とする請求項１〜３及び７のいずれか一項に記載の電子装置。
【請求項９】
前記第１筐体は、前記キートップを収容するための切欠部を有し、
前記貫通孔は前記切欠部に通じるように形成されていることを特徴とする請求項１〜８のいずれか一項に記載の電子装置。
【請求項１０】
操作者に押圧される前記キートップの被押圧部の平面形状は四辺形状であり、
前記第１筐体は、前記被押圧部の前記平面形状の三辺と面し
前記第２筐体は、前記被押圧部の前記平面形状の一辺と面することを特徴とする請求項１〜９のいずれか一項に記載の電子装置。
【発明の詳細な説明】
【技術分野】
【０００１】
本発明は、携帯端末等のキースイッチを備える電子装置に関する。
【背景技術】
【０００２】
スマートフォン等の携帯端末は、広面積の表示部を配置しながらも小型化を実現するために、平板形状を有しているものが多い。また、折畳式の携帯電話機等、複数の筐体を有する携帯端末においても、表示部を配置しない筐体は、表示部を配置する筐体と同じ大きさに合わせるため、いずれの筐体も平板形を有しているものが多い。
【０００３】
平板形の筐体を有する携帯端末においては、メインのキースイッチは、通常、広面積の面に設けられるが、操作者の利便性を考慮して、狭面積の側面にもキースイッチ（例えばサイドキー）が設けられることがある（例えば、特許文献１参照）。
【０００４】
そして、キースイッチを有する携帯端末に防水性を付与する場合には、キースイッチのキートップの周囲の隙間から携帯端末内部に水が浸入しないように構成されている（例えば、特許文献１及び特許文献２参照）。
【０００５】
特許文献１に記載の押釦スイッチの防水構造においては、ケースに貫通孔が形成され、ケースの内側において貫通孔に相対する位置に押圧型スイッチが設けられ、弾性材からなるカップ部材がその開口をケースの外側とするよう貫通孔に嵌め込まれ、押釦から突出した軸部がカップ部材の開口に挿入されており、カップ部材の外周面の全周にわたって凸部が形成され、カップ部材が貫通孔に嵌め込まれることにより凸部が圧縮変形しており、カップ部材の開口側にフランジが設けられ、フランジがケースの外面に係止され、ケースの外面に凹部が形成され、凹部にフランジが嵌め込まれて凹部の底にフランジが係止され、押釦の外周にはフランジ状に突出した弾性シートが設けられ、ケースがカバーによって覆われ、カバーに形成された開口に押釦が露出し、ケースとカバーとの間に弾性シートが挟まれている。
【０００６】
特許文献２に記載の携帯型医療用電子機器の筐体は、内蔵される押圧スイッチと対向する部位に形成された貫通孔に、押圧することにより押圧スイッチを動作させる操作キー部が取り付けられたケース表面部を備え、ケース表面部には、貫通孔の内周面から内方に突出し、中央部分で開口する環状のフランジ部が設けられ、操作キー部は、貫通孔内で開口方向に昇降自在なキートップと、キートップを昇降自在に支持するとともに、貫通孔を閉塞する弾性体であるキー本体とを備え、キー本体は、上部にキートップが固定され、フランジ部の中央部分の開口内で、開口方向に延在し、当該開口方向に昇降自在に配置された押し子と、押し子の周囲に配置され、フランジ部を水密状態で挟持する挟持部と、挟持部の内周面から立ち上がり、押し子との間を閉塞するととともに、弾性変形して、押し子を、押圧方向に移動自在に支持する支持脚部と、を有し、キートップの外縁部は、挟持部においてフランジ部を挟持する部位と開口方向で対向して離間して配置され、キートップが押下された際に部位に当接する。
【先行技術文献】
【特許文献】
【０００７】
【特許文献１】特開２００６−３４４５２８号公報
【特許文献２】特開２００９−５４３８０号公報
【発明の概要】
【発明が解決しようとする課題】
【０００８】
以下の分析は、本発明の観点から与えられる。
【０００９】
特許文献１に記載の押釦スイッチにおいては、筐体（カバー）の他にケースが必要となり、携帯端末が大型化及び複雑化することになる。
【００１０】
また、特許文献１に記載の押釦スイッチにおいては、キートップ（押釦）のフランジをカバーで係止することにより押釦の脱落を防止している。この場合、押釦スイッチの組み立ての際、押子（カップ部材）及びキートップをケースに側面方向から挿入してから、上方及び下方から表側筐体及び裏側筐体（表カバー及び裏カバー）でケースを収容するように挟み込み、キートップのフランジと筐体とを係合させる。このとき、キートップは、筐体に収容するまでの間に脱落してしまうおそれがある。また、キートップの脱落に留意しなければならないため、組立工程の作業性が悪くなる。
【００１１】
一方、特許文献２に記載の携帯型医療用電子機器の筐体によれば、筐体の外部からキートップを押子（押圧キー本体）に取り付けることが可能となる。しかしながら、押子がキートップに嵌合されているだけであるので、キートップの脱落を物理的に抑制するものが存在しない。特に、キートップと押子とを接着剤で接合したとしても、押子はゴム等の弾性材料であり、キートップは樹脂等の硬質材料であるので接着剥離の可能性は高く、キートップ脱落の危険性は解消されない。
【課題を解決するための手段】
【００１２】
本発明の第１視点によれば、押圧スイッチを有する配線基板と、対向させて合わせることにより配線基板を収容する第１筐体及び第２筐体と、操作者の押圧操作により押圧スイッチを押圧するキースイッチと、を備える電子装置が提供される。第１筐体は、一方の開口が押圧スイッチと対向すると共に、他方の開口が外部側に面する貫通孔と、外部側に面方向に沿って形成された溝と、を有する。キースイッチは、第１筐体から一部が露出すると共に、溝に差し込まれるキートップと、キートップと係合すると共に、少なくとも一部が貫通孔に挿入される中継体と、操作者のキートップの押圧操作により押圧スイッチを押圧する押子と、を有する。
【発明の効果】
【００１３】
本発明は、以下の効果のうち少なくとも１つを有する。
【００１４】
本発明においては、キートップと中継体の組み込み方向を異ならせることができる。これにより、中継体の組み込み方向からでは差し込むことはできない筐体の溝にキートップのフランジを係合させることができ、第１筐体と第２筐体とを組み合わせる前であってもキートップの脱落を防止することができる。また、第１筐体に溝を形成するだけであるので、キートップ脱落防止のために電子装置を大型化・複雑化させることを回避することができる。
【図面の簡単な説明】
【００１５】
【図１】本発明の第１実施形態に係る電子装置の概略部分斜視図。
【図２】本発明の第１実施形態に係る電子装置の概略部分分解図。
【図３】本発明の第１実施形態に係る電子装置の概略部分分解図。
【図４】本発明の第１実施形態に係る電子装置の概略部分断面図。
【図５】本発明の第１実施形態に係る電子装置の概略部分断面図。
【図６】本発明の第２実施形態に係る電子装置の概略部分断面図。
【図７】参考例に係る電子装置の概略部分平面図。
【図８】第１参考例に係る電子装置の概略部分分解図。
【図９】第２参考例に係る電子装置の概略部分分解図。
【図１０】第３参考例に係る電子装置の概略部分分解図。
【発明を実施するための形態】
【００１６】
上記視点の好ましい形態を以下に記載する。
【００１７】
上記第１視点の好ましい形態によれば、溝は、第１筐体の外部側において貫通孔の両側に形成される。キートップは、溝に収容される第１フランジ部を有する。
【００１８】
上記第１視点の好ましい形態によれば、溝は、キースイッチが押圧されたときに第１フランジ部が押圧方向に移動可能な幅を有する。
【００１９】
上記第１視点の好ましい形態によれば、キートップは、中継体と係合するための第１係合部を有する。中継体は、貫通孔に挿入される軸部と、キートップを溝に沿って組み込んだときに第１係合部と係合される第２係合部と、を有する。
【００２０】
上記第１視点の好ましい形態によれば、押子は、軸部を被覆すると共に、貫通孔に挿入されるカップ部と、カップ部の外周面に形成され、貫通孔の内壁に当接し止水する止水部と、を有する。
【００２１】
上記第１視点の好ましい形態によれば、押子は、操作者がキートップを押圧したときに押圧方向に弾性変形し、操作者がキートップの押圧を解除したときに、キートップを元の位置に戻す。
【００２２】
上記第１視点の好ましい形態によれば、キートップは、中継体と係合するための第１係合部を有する。中継体は、第１係合部と係合される第２係合部と、押子を収容する凹部と、外周面に形成され、貫通孔の内壁に当接し止水する止水部と、を有する。
【００２３】
上記第１視点の好ましい形態によれば、中継体は、操作者がキートップを押圧したときに押圧方向に弾性変形し、操作者がキートップの押圧を解除したときに、キートップを元の位置に戻す。
【００２４】
上記第１視点の好ましい形態によれば、第１筐体は、キートップを収容するための切欠部を有する。貫通孔は切欠部に通じるように形成されている。
【００２５】
上記第１視点の好ましい形態によれば、操作者に押圧されるキートップの被押圧部の平面形状は四辺形状である。第１筐体は、被押圧部の平面形状の三辺と面する。第２筐体は、被押圧部の平面形状の一辺と面する。
【００２６】
本発明の第１実施形態に係る電子装置について説明する。図１に、本発明の第１実施形態に係る電子装置の概略部分斜視図を示す。図１は、キースイッチを備える電子装置の一例としてスマートフォンの一部を示している。図２及び図３に、本発明の第１実施形態に係る電子装置の概略部分分解図を示す。図２は電子装置の外部から見た図であり、図３は、電子装置の内部から見た図である。図４及び図５に、本発明の第１実施形態に係る電子装置の概略部分断面図を示す。図４は図１のIV−IV線に沿った断面図であり、図５は図１のV−V線に沿った断面図である。なお、以下の説明において、図面参照符号は発明の理解のために付記しているものであり、図示の態様に限定することを意図するものではない。また、断面図においても、主要な要素にしかハッチングを付しておらず、ハッチングを付していない要素も存在する。
【００２７】
電子装置１００は、対向させて合わせることにより、配線基板１３１等を収容する空間を形成する第１筐体１２１及び第２筐体１２２と、押圧スイッチ１３２を有し、筐体１２１，１２２に収容される配線基板１３１と、操作者が押圧スイッチ１３２を操作するためのキースイッチ１０１と、を備える。図１〜図５に示す形態において、キースイッチ１０１は、電子装置１００の側面に設けられている。詳細には、キースイッチ１０１は、対向する第１筐体１２１及び第２筐体１２２の端面付近に設けられている。
【００２８】
キースイッチ１０１は、操作者が直接操作するキートップ１０２と、キートップ１０２の裏側に配置される中継体１０３と、中継体１０３と第１筐体１２１との間に介在される押子１０４と、を有する。
【００２９】
キートップ１０２は、外部に露出し、操作者が触れる被押圧部１０２ａと、第１筐体１２１と係合し、第１筐体１２１から脱落を防止するための第１フランジ部１０２ｂと、中継体１０３と係合するための第１係合部１０２ｃと、を有する。キートップ１０２は、例えば、樹脂等で形成することができる。外部に露出する被押圧部１０２ａの平面形状が四角形状である場合、第１フランジ部１０２ｂは、少なくとも対向する２辺に沿って形成されると好ましい。図１〜図５に示す形態においては、第１フランジ部１０２ｂは、厚みを有する被押圧部１０２ａの裏面側に、被押圧部１０２ａの四角形状のうち三辺に沿って形成されている。
【００３０】
中継体１０３は、キートップ１０２と係合するための第２係合部１０３ａと、操作者がキートップ１０２を押圧した際の押圧力を押圧スイッチ１３２に伝導するための軸部１０３ｂと、を有する。軸部１０３ｂは、例えば、キートップ１０２から押圧スイッチ１３２方向へ延在する棒体とすることができる。中継体１０３は、例えば、樹脂等で形成することができる。
【００３１】
キートップ１０２の第１係合部１０２ｃと中継体１０３の第２係合部１０３ａとが係合してキートップ１０２の脱落が防止される。係合の形態は、キートップ１０２を第１筐体１２１の溝部１２１ｂ沿って組み込んだときに、その前に組み込んであった中継体１０３と係合できるものが好ましい。特に、キートップ１０２を組み込んだ後に、キートップ１０２が組み込み方向とは逆方向に抜け落ちないような係合であると好ましい。第１係合部１０２ｃと第２係合部１０３ａは、例えば、鉤状の爪部と、当該爪部と係合する凹部ないし溝部とすることができる。
【００３２】
押子１０４は、スイッチ動作に寄与するのみならず、キートップ１０２の周囲から内部へ水が浸入することを防止するパッキンの機能も有する。押子１０４は、第２筐体と係合する第２フランジ部１０４ａと、凹部１０４ｂと、凹部１０４ｂを形成し、押圧スイッチ１３２を操作するためのカップ部１０４ｃと、カップ部１０４ｃの外周面に、水が内部に浸入することを防止する止水部１０４ｄと、を有する。カップ部１０４ｃはカップ（椀）形状を有している。カップ部１０４ｃ（凹部１０４ｂ）の開口側に第２フランジ部１０４ａが一体的に接合されている。押子１０４のカップ部１０４ｃが形成する凹部１０４ｂには、中継体１０３の軸部１０３ｂが挿入される。すなわち、軸部１０３ｂはカップ部１０４ｃで被覆される。押子１０４のカップ部１０４ｃは、第１筐体１２１に形成された貫通孔１２１ｃに挿入される。止水部１０４ｄは、例えば、カップ部１０４ｃを部分的に拡径するように、全外周に沿って連続的に形成された峰状となっている。押子１０４において、少なくとも止水部１０４ｄはゴム等の弾性材料であると好ましい。押子１０４の第２フランジ部１０４ａ及び止水部１０４ｄ以外のカップ部１０４ｃは樹脂等で形成することも可能であるが、止水部１０４ｄと共に弾性材料で一体的に形成すると好ましい。
【００３３】
第１筐体１２１は、外部に面する領域に、キートップ１０２及び中継体１０３を載置するための切欠部１２１ａと、一方の開口が押圧スイッチ１３２と対向し、他方の開口が切欠部１２１ａに面する貫通孔１２１ｃと、貫通孔１２１ｃの両側に、切欠部１２１ａに連通して形成された溝部１２１ｂと、を有する。図１〜図５に示す形態においては、さらに、押子１０４の第２フランジ部１０４ａを収容するための凹部が貫通孔１２１ｃ周りに形成されている。溝部１２１ｂは、第１筐体１２１の外面が延在する方向に沿って形成されている。溝部１２１ｂの延在方向と貫通孔１２１ｃの延在方向は同一方向ではない。好ましくは、溝部１２１ｂの延在方向と貫通孔１２１ｃの延在方向は直交するような関係にある。溝部１２１ｂには、キートップ１０２の第１フランジ部１０２ｂが収容される。溝部１２１ｂの幅は、操作者がキートップ１０２を押圧した際にキートップ１０２が押圧方向に移動できるように、第１フランジ部１０２ｂの厚さより広く形成されている。例えば、押圧スイッチ１３２のストロークが０．１ｍｍである場合、第１フランジ部１０２ｂと第１筐体１２１との間隔ｄ（図５）は、０．３ｍｍに設定することができる。
【００３４】
貫通孔１２１ｃには、押子１０４のカップ部１０４ｃ及びカップ部１０４ｃで被覆された中継体１０３の軸部１０３ｂが挿入される。押子１０４の止水部１０４ｄの外径は、第１筐体１２１の貫通孔１２１ｃの内径よりも大きいと好ましい。この場合、カップ部１０４ｃ及び止水部１０４ｄの弾性を利用して、カップ部１０４ｃ及び軸部１０３ｂが貫通孔１２１ｃに挿入されると、止水部１０４ｄと貫通孔１２１ｃとの内壁とを隙間なく密着させることができる。これにより、キートップ１０２周囲から流入した水が、貫通孔１２１ｃを通って内部に浸入することを防止することができる。
【００３５】
切欠部１２１ａは、キートップ１０２の四角状の平面形状のうち、３辺と面するように形成すると好ましい。この場合、第２筐体１２２は、キートップ１０２の四角状の平面形状のうち、１辺と面するように形成される。したがって、第１筐体１２１と対向する第２筐体１２２の端面は、略直線状に形成することができる。すなわち、第１筐体１２１と第２筐体１２２とを合わせたときに、第１筐体１２１と第２筐体１２２との当接線が、大きな段を生じることなく、図１に示すように電子装置１００に沿って略直線的に形成されることになる。
【００３６】
配線基板１３１は、その面が第１筐体１２１の外面（側面）に沿うように配置される。押圧スイッチ１３２は、貫通孔１２１ｃの開口に対向するように配置される。
【００３７】
次に、電子装置１００の組み立てについて説明する。カップ部１０４ｃ及び軸部１０３ｂが貫通孔１２１ｃに挿入され、軸部１０３ｂが凹部１０４ｂに挿入されるように、押子１０４及び中継体１０３は、第１筐体１２１の側面方向から（矢印Ａ及び矢印Ｂ方向へ）第１筐体１２１に取り付けられる。次に、第１フランジ部１０２ｂを溝部１２１ｂに差し込むように、キートップ１０２は、第１筐体１２１の上方向から（矢印Ｃ方向へ）第１筐体１２１に取り付けられる。このとき、第１係合部１０２ｃと第２係合部１０３ａとを係合させる。例えば、第２係合部１０３ａとして形成された凸部と、第１係合部１０２ｃとして形成された凹部とを嵌合させる。次に、第２筐体１２２と第１筐体１２１とを組み合わせる。このとき、キートップ１０２の第２筐体１２２側に第１フランジ部１０２ｂが形成されている場合には、第１フランジ部１０２と第２筐体１２２とを係合させる。
【００３８】
操作者がキートップ１０２の被押圧部１０２ａを押圧すると、キートップ１０２は押圧方向に移動する。これに伴い、キートップ１０２に押圧されて中継体１０３も押圧方向に移動する。そして、軸部１０３ｂがカップ部１０４ｃの内側より押圧することにより、押子１０４のカップ部１０４ｃの先端は、押圧スイッチ１３２を押圧操作する。押子１０４のカップ部１０４ｃは弾性を有し、操作者の押圧力によりスイッチ動作時には変形されるが、スイッチ動作後には元の形状に復元すると共に、キートップ１０２及び中継体１０３を元の位置に戻すと好ましい。スイッチ動作時には押圧スイッチ１３２も弾性変形するが、キートップ１０２及び中継体１０３は、押圧スイッチ１３２の復元力によって、又は押圧スイッチ１３２及び押子１０４の両方の復元力によって元の位置に戻ってもよい。
【００３９】
本発明においては、キートップ１０２と中継体１０３とで組み立て方向が異なる。すなわち、中継体１０３を第１筐体１２１の貫通孔１２１ｃに挿入しながらも、キートップ１０２の第１フランジ部１０２ｂを、中継体１０３の挿入方向とは異なる方向から溝部１２１ｂに差し込みことができる。したがって、本発明によれば、キートップ１０２を取り付けた際、第１筐体１２１の溝部１２１ｂとキートップ１０２の第１フランジ部１０２ｂとの係合、キートップ１０２の第１係合部１０２ｃと中継体１０３の第２係合部１０３ａとの係合、及び中継体１０３の軸部１０３ｂと第１筐体１２１の貫通孔１２１ｃとの嵌合により、第２筐体１２２を取り付ける前の段階においても、キートップ１０２が脱落することを防止することができる。これにより、電子装置１００の生産性を向上させることができる。
【００４０】
ここで、第１参考例を図７及び図８に示す。図７は、第１参考例に係る電子装置の概略部分平面図である。図８は、第１参考例に係る電子装置の概略部分分解図である。電子装置９００は、キースイッチ９０１と、第１筐体９２１と、第２筐体９２２と、を備える。キースイッチ９０１は、キートップ９０２と、押子９０３と、を有する。キートップ９０２は、フランジ部９０２ａと、押子９０３を押圧する軸部９０２ｂと、を有する。軸部９０２ｂがキートップ９０２に設けられている点は本発明と異なる。第１筐体９２１には、キートップ９０２のフランジ部９０２ａと係合するための溝部は設けられていない。また、第２筐体９２２は、キートップ９０２の脱落を防止するためにフランジ部９０２ａと係合する係合部９２２ａを有する。
【００４１】
電子装置９００の組み立てにおいては、押子９０３及びキートップ９０２の軸部９０２ｂを側面方向から（矢印Ｄ方向へ）第１筐体９２１の貫通孔９２１ａへ挿入する。このとき、キートップ９０２は、フランジ部９０２ａが何とも係合していないので脱落しやすい状態にある。第１筐体９２１と第２筐体９２２とを組み合わせることによって、フランジ部９０２ａは係合部９２２ａと係合して、脱落が防止されることになる。したがって、第２筐体９２２を組み合わせるまではキートップ９０２及び押子９０３は脱落しやすい状態にあり、作業性を悪化させる。しかしながら、本発明によれば、キートップ１０２を組み込んだときに、キートップ９０１、中継体１０３及び押子１０４の脱落を防止することができる。
【００４２】
本発明においては、キートップ１０２と中継体１０３の２つの部品に分割し、第１筐体１２１に溝部１２１ｂを形成するだけであるので、例えばキートップ脱落防止用のカバーが不要であるなど、電子装置１００を大型化及び複雑化することなく、キートップ１０２及び中継体１０３の脱落を防止することができる。
【００４３】
ここで、第２参考例を図９に示す。図９は、第２参考例に係る電子装置の概略部分分解図である。図９において、第１参考例と同じ要素には同じ符号を付してある。電子装置８００は、第１参考例における第２筐体９２２のフランジ部９２２ａの代わりに、キートップ９０２のフランジ部９０２ａと係合して、キートップ９０２の脱落を防止するカバー８０１を備える。この場合、新たな部品であるカバー８０１を追加することになり、電子装置８００は複雑化することになる。また、カバー８０１は、第１筐体８２１及び第２筐体８２２と係合してカバー８０１の脱落を防止するためのフランジ部８０１ａを有しており、電子装置８００が大型化してしまう。一方、本発明によれば、上述のように、これらの弊害を回避することができる。
【００４４】
第３参考例を図１０に示す。図１０は、第３参考例に係る電子装置の概略部分分解図である。電子装置７００においては、キートップ７０２は、脱落を防止するための爪部７０２ａを有する。爪部７０２ａは、第１筐体７２１の係合部７２１ａと係合する。この場合、爪部７０２ａ及び係合部７２１ａは、キートップにフランジ部を設ける場合に比べて大きなスペースを要することになる。すなわち、電子装置７００が大型化してしまうことになる。一方、本発明によれば、上述のように、このような弊害を回避することができる。
【００４５】
本発明においては、キースイッチ１０１及び配線基板１３１を第１筐体１２１に収容することができる。これにより、品質を安定させることができる。また、第１筐体１２１と第２筐体１２２との境界線を直線状に構成することができ、デザイン選択の幅を広げることができる。例えば、図７に示す第１参考例に係る電子装置９００において、第１筐体９２１と第２筐体９２２の境界線は、係合部９２２ａによって大きな段を形成せざるを得ない。この場合、電子装置９００のデザインは大きな制約を受けることになる。同様に、図９に示す第２参考例に係る電子装置８００においても、カバー８０１の存在によって電子装置８００のデザインは大きな制約を受けることになる。
【００４６】
本発明においては、キートップ１０２と中継体１０３とが１つの部品で構成されている場合に比べて、軸部１０３ｂがない分、キートップ１０２の肉厚が均一化されている。これにより、キートップの射出成形に伴うキートップの外観不良の発生を抑制することができる。
【００４７】
次に。本発明の第２実施形態に係る電子装置について説明する。図６に、本発明の第２実施形態に係る電子装置の概略部分断面図を示す。図６は、第１実施形態における図４に対応する図面である。図６において、第１実施形態と同じ要素には同じ符号を付してある。第１実施形態においては押子に防水機能を付与していたが、第２実施形態においては中継体に防水機能を付与している。
【００４８】
第２実施形態に係る電子装置２００は、キースイッチ２０１を備える。キースイッチ２０１は、操作者が直接操作するキートップ２０２と、キートップ２０２の裏側に配置される中継体２０３と、中継体２０３と押圧スイッチ１３２との間に介在される押子２０４と、を有する。
【００４９】
キートップ２０２は、外部に露出し、操作者が触れる被押圧部２０２ａと、第１筐体１２１と係合し、第１筐体１２１から脱落を防止するための第１フランジ部２０２ｂと、中継体２０３と係合するための第１係合部２０２ｃと、を有する。
【００５０】
中継体２０３は、第１筐体１２１の貫通孔１２１ｃに挿入される。中継体２０３は、キートップ２０２と係合するための第２係合部２０３ａと、押子２０４を収容するための凹部２０３ｂと、外周面に、水が内部に浸入することを防止する止水部２０３ｃと、を有する。中継体１０３は、例えば、ゴム等の弾性材料で形成すると好ましい。
【００５１】
押子２０４は、中継体２０３の凹部２０３ｂに収容され、押圧スイッチ１３２を操作する。押子２０４は、樹脂で形成してもよいし、ゴム等の弾性材料で形成してもよい。
【００５２】
キートップ２０２の第１係合部２０２ｃと中継体２０３の第２係合部２０３ａとが係合してキートップ２０２の脱落が防止される。係合の形態は、特に限定されずに、種々の態様をとることができる。第１係合部２０２ｃと第２係合部２０３ａは、例えば、凹部と、当該凹部に嵌合する凸部とすることができる。
【００５３】
中継体２０３の止水部２０３ｃの形態は、第１実施形態における押子の止水部と同様とすることができる。
【００５４】
電子装置２００の組み立てにおいては、配線基板１３１を組み込む前に、中継体２０３及び押子２０４を、第１筐体１２１の内部側から貫通孔１２１ｃに挿入する。キートップ２０２の組み込みは、中継体２０３及び押子２０４の組み込み前であってもよいし、組み込み後であってもよい。
【００５５】
第２実施形態における上記以外の形態は、第１実施形態と同様である。
【００５６】
第２実施形態においても、第１実施形態と同様の効果を得ることができる。
【００５７】
本発明の電子装置は、上記実施形態に基づいて説明されているが、上記実施形態に限定されることなく、本発明の範囲内において、かつ本発明の基本的技術思想に基づいて、種々の開示要素（各請求項の各要素、各実施形態ないし実施例の各要素、各図面の各要素等を含む）に対し種々の変形、変更及び改良を含むことができることはいうまでもない。また、本発明の請求の範囲の枠内において、種々の開示要素（各請求項の各要素、各実施形態ないし実施例の各要素、各図面の各要素等を含む）の多様な組み合わせ・置換ないし選択が可能である。
【００５８】
本発明のさらなる課題、目的及び展開形態は、請求の範囲を含む本発明の全開示事項からも明らかにされる。
【産業上の利用可能性】
【００５９】
図面においては、携帯端末の一例としてスマートフォンを図示している。しかしながら、本発明のキースイッチを適用可能な携帯端末は、電子機器であればいずれでもよく、例えば、携帯電話機、携帯型ゲーム機、ポータブルオーディオ、ノート型パソコン、タブレット型パソコン等に適用することができる。
【符号の説明】
【００６０】
１００，２００          電子装置
１０１，２０１          キースイッチ
１０２，２０２          キートップ
１０２ａ，２０２ａ        被押圧部
１０２ｂ，２０２ｂ        第１フランジ部
１０２ｃ，２０２ｃ        第１係合部
１０３，２０３          中継体
１０３ａ，２０３ａ        第２係合部
１０３ｂ        軸部
１０４，２０４          押子
１０４ａ        第２フランジ部
１０４ｂ        凹部
１０４ｃ        カップ部
１０４ｄ        止水部
１２１          第１筐体
１２１ａ        切欠部
１２１ｂ        溝部
１２１ｃ        貫通孔
１２２          第２筐体
１３１          配線基板
１３２          押圧スイッチ
２０３ｂ        凹部
２０３ｃ        止水部
９００，８００，７００          電子装置
８０１          カバー
９０１          キースイッチ
９０２，７０２          キートップ
７０２ａ        爪部
９０２ａ        フランジ部
９０２ｂ        軸部
９０３，７０３          押子
９２１，８２１，７２１          第１筐体
７２１ａ        係合部
９２１ａ        貫通孔
９２２，８２２          第２筐体
９２２ａ        係合部
９３１          配線基板
９３２          押圧スイッチ
【図１】
2013143355.tif 000003
【図２】
2013143355.tif 000004
【図３】
2013143355.tif 000005
【図４】
2013143355.tif 000006
【図５】
2013143355.tif 000007
【図６】
2013143355.tif 000008
【図７】
2013143355.tif 000009
【図８】
2013143355.tif 000010
【図９】
2013143355.tif 000011
【図１０】
2013143355.tif 000012